(57)【要約】【課題】本発明は、火災受信機等の設備機器の外部移報接点の端子台から信号線の端子が外れた場合、警備システムの監視装置側にて確実に検知して通報することができる配線プラグ及び接続検知器の実現を目的とする。【解決手段】火災受信機の端子台に接続するための第１及び第２の接続端子と、前記第１及び第２の接続端子と各々接続する第１及び第２のリード線と、前記第１及び第２の接続端子と前記第１及び第２のリード線を保持する器具本体とを有し、前記第１の接続端子と前記第２の接続端子は、前記端子台に接続していないときには電気的に絶縁し、前記端子台に接続されているときには該端子台を介して導通することを特徴とする。【選択図】  図１
2010218825.tif 000002
【特許請求の範囲】
【請求項１】
端子台に接続するための配線プラグであって、前記端子台に接続するための第１及び第２の接続端子と、前記第１及び第２の接続端子と各々接続する第１及び第２のリード線と、前記第１及び第２の接続端子と前記第１及び第２のリード線を保持する器具本体とを有し、前記第１の接続端子と前記第２の接続端子は、前記端子台に接続していないときには電気的に絶縁し、前記端子台に接続されているときには該端子台を介して導通することを特徴とする配線プラグ。
【請求項２】
前記第１の接続端子及び前記第２の接続端子は、弾性力を有し、前記端子台に接続されていない状態では互いに離間するように前記器具本体に保持されることを特徴とする請求項１記載の配線プラグ。
【請求項３】
前記第１の接続端子及び前記第２の接続端子は、互いに向かい合う面が絶縁処理を施されていることを特徴とする請求項１に記載の配線プラグ。
【請求項４】
前記第１の接続端子及び前記第２の接続端子は前記端子台に接続したときに前記端子台の板ばねと係合する突起部を有したことを特徴とする請求項１〜３に記載の配線プラグ
【請求項５】
設備機器の一対の外部出力端子と前記設備機器を監視する監視装置の監視入力端子の間に設けられる接続検知器であって、
前記設備機器の外部出力端子の一方の端子に接続される第１及び第２の接続端子を有する第１の配線プラグと、
前記設備機器の外部出力端子の他方の端子に接続される第３及び第４の接続端子を有する第２の配線プラグと、
前記第１の配線プラグの第１の接続端子と接続する第１のリード線と、
前記第１の配線プラグの第２の接続端子と接続する第２のリード線と、
前記第２の配線プラグの第３の接続端子と接続する第３のリード線と、
前記第２の配線プラグの第４の接続端子と接続する第４のリード線と、
前記第２のリード線と前記第３のリード線の間に終端抵抗を配して接続する本体部を有し、
前記第１のリード線と前記監視装置の監視入力端子の一方を接続するとともに、前記第４のリード線と前記監視入力端子の他方を接続することを特徴とする接続検知器。
【請求項６】
前記第１の配線プラグの第１の接続端子と前記第２の接続端子及び前記第２の配線プラグの第３の接続端子と前記第４の接続端子は前記端子台に接続されていないときには電気的に絶縁していることを特徴とする請求項５記載の接続検知器。
【発明の詳細な説明】
【技術分野】
【０００１】
本発明は、火災受信機等の設備機器から外部出力される移報信号を監視装置で受信して通報する監視システムに適用され、設備機器の外部出力端子と監視装置の監視回路の間の信号線に接続する配線プラグ及び接続検知器に関する。
【背景技術】
【０００２】
従来より、事業所の建物等には、侵入異常や火災発生、その他の緊急時に外部の警備センタに通報を行なう警備システムが設置されている。かかる警備システムは、建物等の監視領域内の状態を検知し検知信号を送信する各種センサと、各種センサからの検知信号を受信し監視領域の現状態と検出信号の種別に応じて異常信号を警備センタに通報する監視装置が設置されている。
【０００３】
また、監視領域に火災報知設備が設置されている場合には、火災報知設備の受信機の火災代表移報出力接点の端子と警備システムの監視装置の監視回路を信号線で接続し、火災報知設備にて火災を感知した場合に監視装置に移報して、監視装置を介して通報するようにしている。
【０００４】
ところで、従来の警備システムの監視装置は、センサの検知と、センサ−監視装置間の信号線の短絡や断線を区別できるように、センサには、非検知時に解放する第１の接点（メーク接点）と、検知時に閉結する第２の接点（ブレーク接点）及びこれら２つの接点に対向する主接点を有し、更に、第１の接点と第２の接点の間に終端抵抗器を接続している。そして、監視装置の監視回路から主接点を介して終端抵抗器へ一定電流を供給し、この一定電流の変化により、接続されるセンサが検知しているのかあるいは信号線が短絡しているのか断線しているのかを区別するようにしている。（特許文献１参照）
【０００５】
又、火災報知設備の火災代表移報出力接点の端子を信号線を介して監視装置の監視入力端子に接続する場合においても、火災代表移報出力接点の閉結と信号線の断線を区別して検知するために、図６に示すように終端抵抗１０３を信号線１０４、１０５の端部に圧着端子１０２ａ、１０２ｂを使用して結着し、その圧着端子から導出した信号線を火災受信機の火災代表移報出力接点１０１に設けたネジ止め端子台またはスクリューレス端子台に接続している。
【０００６】
このように接続すると、火災報知設備が火災を検知していない場合は火災受信機の火災代表移報出力接点１０１が開いているので、監視装置の監視回路は信号線１０４−圧着端子１０２ａ−終端抵抗１０３−圧着端子１０２ｂ−信号線１０５を介して一定の電流が流れる。また、火災報知設備が火災を検知した場合は火災受信機の火災代表移報出力接点１０１が閉じて終端抵抗１０３が側路されるため、増大した電流が信号線１０４−圧着端子１０２ａ−火災代表移報出力接点１０１−圧着端子１０２ｂ−信号線１０５を介して流れる。監視装置は、この電流の変化を検出することにより、火災代表移報出力接点１０１が閉結したことを検知することができる。
【０００７】
また、信号線１０４、１０５が断線した場合には、監視回路の電流が遮断されて電流値が０となるので、監視装置は、これを検知することにより信号線の断線を区別することができる。
【先行技術文献】
【特許文献】
【０００８】
【特許文献１】特開昭５１−１２１２９７号公報
【発明の概要】
【発明が解決しようとする課題】
【０００９】
ところで、火災報知設備で検知した火災信号を警備システムを介して通報するためには、火災受信機の火災代表移報出力接点の端子と警備システムとの接続が確実に行なわれる必要があるが、上記の図６ｂのように、万一、火災代表移報出力接点１０１の端子から信号線１０４、１０５が外れた場合には、信号線１０４、１０５と終端抵抗１０３が圧着端子１０２で結線されているので、火災受信機の火災代表移報出力接点１０１が開放しているときと同様に、監視装置の監視回路は信号線１０４−圧着端子１０２ａ−終端抵抗１０３−圧着端子１０２ｂ−信号線１０５を介して一定の電流が流れるので、監視装置は信号線の外れた状態と正常状態とを区別することができないという問題があった。
そこで、本発明は、かかる課題を解決するため、火災受信機の端子台から信号線が外れた場合にこれを確実に検知できるようにした配線プラグ及び接続検知器を実現する。
【課題を解決するための手段】
【００１０】
本発明の配線プラグは、前記端子台に接続するための第１及び第２の接続端子と、前記第１及び第２の接続端子と各々接続する第１及び第２のリード線と、前記第１及び第２の接続端子と前記第１及び第２のリード線を保持する器具本体とを有し、前記第１の接続端子と前記第２の接続端子は、前記端子台に接続していないときには電気的に絶縁し、前記端子台に接続されているときには該端子台を介して導通することを特徴とする。
【００１１】
また、好適な態様では、前記第１の接続端子及び前記第２の接続端子は、弾性力を有し、前記端子台に接続されていない状態では互いに離間するように保持される。
【００１２】
更に好適な態様では、前記第１の接続端子及び前記第２の接続端子は、互いに向かい合う面が絶縁処理を施されている。
【００１３】
更に好適な態様では、前記第１の接続端子及び前記第２の接続端子は前記端子台に接続したときに前記端子台の板ばねと係合する突起部を有する。
【００１４】
また、本発明は、設備機器の一対の外部出力端子と前記設備機器を監視する監視装置の監視入力端子の間に設けられる接続検知器であって、前記設備機器の外部出力端子の一方の端子に接続される第１及び第２の接続端子を有する第１の配線プラグと、前記設備機器の外部出力端子の他方の端子に接続される第３及び第４の接続端子を有する第２の配線プラグと、
前記第１の配線プラグの第１の接続端子と接続する第１のリード線と、前記第１の配線プラグの第２の接続端子と接続する第２のリード線と、前記第２の配線プラグの第３の接続端子と接続する第３のリード線と、前記第２の配線プラグの第４の接続端子と接続する第４のリード線と、前記第２のリード線と前記第３のリード線の間に終端抵抗を配して接続する本体部を有し、前記第１のリード線と前記監視装置の監視入力端子の一方を接続するとともに、前記第４のリード線と前記監視入力端子の他方を接続する。
【００１５】
また、好適な態様では、前記第１の配線プラグの第１の接続端子と前記第２の接続端子及び前記第２の配線プラグの第３の接続端子と前記第４の接続端子は前記端子台に接続されていないときには電気的に絶縁している。
【発明の効果】
【００１６】
本発明によれば、火災受信機等の設備機器の外部移報接点の端子台から信号線の端子が外れた場合、警備システムの監視装置側にて確実に検知して通報することができる。
【図面の簡単な説明】
【００１７】
【図１】本発明による配線プラグ及び接続検知器を火災受信機と監視装置の間に接続した状態を示す構成図である。
【図２】本発明による配線プラグの外観図及び断面図である。
【図３】本発明による配線プラグの内部配置図である。
【図４】火災受信機の端子台の内部を示す概略図である。
【図５】監視装置の機能ブロック図である。
【図６】従来の火災受信機と監視装置の接続状態を示す図である。
【発明を実施するための形態】
【００１８】
以下、本発明を適用した接続検知器及び配線プラグの実施形態について、図１を参照して説明する。図１ａに示すように、火災受信機１と警備システムの監視装置２が本発明による接続検知器３を介して接続されている。
図１ａは、本発明による接続検知器を火災受信機の火災代表移報出力接点の端子台に接続した状態を表す。
接続検知器３は、配線プラグ３４、３５と接続検知器本体３１及びこれを接続するリード線３６ａ、３６ｂ、３７ａ、３７ｂ、接続検知器本体３１と監視装置２の監視回路の接点Ｂ及び接点Ｍに接続するための信号線６、７にて略構成されている。
接続検知器本体３１には、終端抵抗３２が設けられリード線３６ｂ及び３７ａ接続されている。
【００１９】
火災受信機１の移報接点１１に接続された端子台１２ａには、配線プラグ３４の上端子３４１ａ及び下端子３４１ｂが接続されている。また、端子台１２ｂには、配線プラグ３５の上端子３５１ａ及び下端子３５１ｂが接続されている。
配線プラグ３４の上端子３４１ａに接続しているリード線３６ａは接続検知器本体３１にて信号線６に接続される。信号線６は監視装置２の端子Ｂに接続される。配線プラグ３４の下端子３４１ｂに接続しているリード線３６ｂは接続検知器本体３１の終端抵抗３２に接続されている。配線プラグ３５の上端子３５１ａに接続しているリード線３７ａは、接続検知器本体３１の終端抵抗３２に接続されている。
配線プラグ３５の下端子３５１ｂに接続しているリード線３７ｂは接続検知器本体３１にて信号線７に接続されている。信号線７は監視装置２の端子Ｍに接続されている。
火災受信機１の端子台１２ａに接続されている配線プラグ３４は、上端子３４１ａと下端子３４１ｂが、端子台１２ａに挿入されている状態において端子台１２ａ内部で電気的に導通している。端子台１２ｂと配線プラグ３５も、同様に上端子３５１ａと下端子３５１ｂが端子台１２ｂに挿入されている状態において端子台１２ｂ内部で電気的に導通している。
【００２０】
次に、配線プラグ３４の構成を、図２、図３にて説明する。図２（ａ）は配線プラグ３４の正面図、図２（ｂ）は、図２（ａ）中の右方向からみた側面図、図２（ｃ）はＡ−Ａ’の端面図、図３は配線プラグ３４の上面からみた内部配置図である。
尚、配線プラグ３５も配線プラグ３４と同一の構成からなる。
【００２１】
上端子３４１ａ、下端子３４１ｂは、例えば、火災受信機１の移報接点１１に接続するスクリューレス端子台の電線挿入孔に挿入可能なサイズに構成される。配線プラグ３４の上端子３４１ａ、下端子３４１ｂのテール部３４３ａ、３４３ｂに、リード線３６ａ、３６ｂの端部３６１ａ、３６１ｂが半田付けによって接続されている。
テール部３４３ａ、３４３ｂの間はセンターモールド３４４を挟んで絶縁状態で固定されている。上端子３４１ａ、下端子３４１ｂのテール部３４３ａ、３４３ｂ、リード線３６ａ、３６ｂの端部３６１ａ、３６１ｂ及びセンターモールド３４４は合成樹脂材にて一体的にモールドされて配線プラグ３４の本体を構成している。
上端子３４１ａと、下端子３４１ｂはステンレスバネ材で構成されて弾性を有しており、端子台に挿入されていない状態では、互いに離間する方向に付勢されて、１ｍｍ程度離間状態に維持される。上端子３４１ａ、下端子３４１ｂが向かい合う面には絶縁テープが貼付されて絶縁状態となっており、上端子３４１ａと下端子３４１ｂが接触しないようになっている。上端子３４１ａ、下端子３４１ｂは向かい合う面以外の面には金メッキを施してある。
上端子３４１ａと下端子３４１ｂの先端部には、後述する端子台１２内部の板バネと係合する突起部３４２ａ、３４２ｂを有する。
【００２２】
次に、火災受信機１の概略構成を説明する。火災受信機１は一般的に使用されている公知の火災受信機である。図示しない火災感知器から火災信号、もしくは火災と判断される煙や熱などの火災現象の物理量信号を受信したときに火災灯や火災の発生した火災警戒地区を表示するとともに火災受信機１に内蔵された主音響装置を鳴動し、さらに外部の設備機器等に火災信号を移報するために火災代表移報出力接点１１が設けられている。火災代表移報出力接点１１は無電圧接点が使用されており、非火災時には接点は開放され火災時に接点が閉結する。
【００２３】
火災代表移報出力接点１１には端子台１２ａ、１２ｂが接続されており、端子台は、ネジ止め端子台またはスクリューレス端子台が持いられるが、最近は、作業性を考慮していわゆるスクリューレス端子台が利用されることが多い。本実施例ではスクリューレス端子台の例を示す。スクリューレス端子台は、図４に示すように、合成樹脂等の絶縁材料で筐型に形成された端子台本体１２１と、この端子台本体１２１の内部空間に本体一側壁の上部位置で開口する電線挿入孔１２２と、前記本体１２１の内部空間に組込まれた略コ形状をなす導電金具１２３と、導電金具１２３内に組込まれ、前記挿入孔１２２から本体１２１内に挿入される信号線の裸芯線部を導電金具１２３の上端折曲部に押付けて挾持結線させる導電性の板ばね１２４と、板ばね操作部１２５と、板ばね操作部１２５に上下動可能に嵌装された絶縁性のある板ばね可動体１２６を有して構成される。
【００２４】
次に、監視装置２について図５を参照して概略構成を説明する。
監視装置２は警備システムの主装置であり、建物内を監視する各種センサの検知信号を監視するセンサ監視部２１、操作スイッチやボタン等を有して構成され警備モードの設定等の操作入力を受け付ける操作部２４、現状の警備モードや異常情報等を表示する表示部２５、センサ監視部２１の出力を処理して必要に応じて通報処理を行なう制御部２２と、遠隔の監視センタに通信回線を使用して通報する通報部２３から略構成される。
センサ監視部２１は、信号線６、７と接続される端子部と、電源と電流設定用抵抗器、電流監視手段からなり、各種センサを接続した信号線に所定の電圧を印加して監視回路を形成し、監視回路に流れる電流値を監視している。
【００２５】
次に、監視装置２が火災受信機１の火災信号を受信する動作について説明する。
図１（ａ）は、火災受信機１と監視装置２が接続検知器３を介して正常に接続されている状態を示す。
配線プラグ３４の上端子３４１ａと下端子３４１ｂが端子台１２ａの電線挿入孔１２２に挿入されて、導電金具１２３と板ばね１２４の間に固定されている。上端子３４１ａ又は下端子３４１ｂの突起部３４２ａ、３４２ｂが端子台内部の板ばね１２４の先端と係合することにより配線プラグ３４が端子台１２から容易に抜け落ちないようになっている。このとき導電金具１２３と板ばね１２４は電気的に導通しているので、配線プラグ３４の上端子３４１ａと下端子３４１ｂが端子台１２ａの内部で導通することになる。配線プラグ３５の上端子３５１ａと下端子３５１ｂも同様に端子台１２ｂに挿入されて内部で導通している。
【００２６】
この状態において火災受信機１が火災信号を受信していない場合の動作を説明する。
火災受信機１が火災信号を受信していない場合には、火災受信機１の火災代表移報出力接点１１が開放（実線で示す）しており、監視装置２のセンサ監視部２１の端子Ｂから信号線６−接続検知器３１−リード線３６ａ−配線プラグ３４の上端子３４１ａ−端子台１２ａ−接続検知端子の下端子３４１ｂ−リード線３６ｂ−終端抵抗３２−リード線３７ａ−配線プラグ３５の上端子３５１ａ−端子台１２ｂ−配線プラグ３５の下端子３５１ｂ−リード線３７ｂ−接続検知器３１−信号線７−監視装置２の端子Ｍが導通しており、この回路に監視装置２のセンサ監視部２１から一定の電流が流れる。このときの電流値は終端抵抗３２と監視装置２の電流設定用抵抗器及び信号線６、７の配線抵抗などによって略一定の範囲に定まる。
監視装置２のセンサ監視部２１は電流監視手段により所定の範囲以内の電流値を検出すると火災の非検知で正常状態（火災代表移報出力接点１１が開放）と判断する。
【００２７】
次に、火災が発生して火災受信機１の火災代表移報出力接点１１が閉結（点線で示す）した場合の動作を説明する。火災代表移報出力接点１１が閉結すると、監視装置２の端子Ｂから信号線６−接続検知器３１−リード線３６ａ−配線プラグ３４の上端子３４１ａ−端子台１２ａ−火災代表移報出力接点１１−端子台１２ｂ−配線プラグ３５の下端子３５１ｂ−リード線３７ｂ−接続検知器３１−信号線７−監視装置２の端子Ｍが導通し、この回路に監視装置２のセンサ監視部２１から電流が流れる。このときの電流値は終端抵抗３２が側路されているので、監視装置２の電流設定用抵抗器と配線抵抗によって定まる所定の電流が流れる。このときの電流値は終端抵抗３２が側路されているので、上記の非火災時の数倍の値となり、センサ監視部２１の電流監視手段はこの電流値が所定の範囲以内であれば火災状態（火災代表移報出力接点１１が閉結）と判断する。
【００２８】
次に、配線プラグ３５が何等かの原因で端子台１２ｂから外れた場合の動作について説明する。図１（ｂ）は火災受信機１の端子台１２ｂに接続した配線プラグ３５が外れた状態を示す図である。配線プラグ３５が端子台１２ｂから外れると、配線プラグ３５の上端子３５１ａと下端子３５１ｂは、１ｍｍ程度離間した状態に維持され、又、上端子３５１ａと下端子３５１ｂとが向かい合う面には絶縁テープが貼付されているので、上端子３５１ａと下端子３５１ｂの導通は遮断される。従って監視装置２の端子Ｂと端子Ｍの間の回路のループは遮断され電流は流れなくなる。センサ監視部２１の電流監視手段は、電流値０を検出すると、信号線６、７の断線または、端子台からの配線プラグが外れたと判断する。
監視装置２の制御部２２は、センサ監視部２１の電流監視手段にて電流値の変化を検知すると、その電流値に応じて、火災異常信号または断線異常信号を通報部２３を介して、遠隔の監視センタに通報する。
【００２９】
本実施例では、火災受信機のスクリューレス型の端子台にピン型の上端子及び下端子を挿入する例について説明したが、端子台がネジ止め端子台の場合には、ピン型の上端子及び下端子に代えてＹ型の金属の上端子と下端子として、このＹ型の金属の上端子と下端子の間に絶縁体を挟んだ構成にしてもよい。そして上記の実施例と同様に上端子にリード線３６ａを接続し下端子にリード線３６ｂを接続する。この例では、Ｙ型の端子が端子台から外れているときには、上端子と下端子は絶縁体によって絶縁されているので導通せず、Ｙ型の端子が端子台にネジ止めされている場合には端子台を介して上端子と下端子が導通する。
【符号の説明】
【００３０】
１・・・火災受信機
１１・・火災代表移報接点
２・・・監視装置
２１・・センサ監視部
２２・・制御部
２３・・通報部
２４・・操作部
２５・・表示部
３・・・接続検知器
３１・・接続検知器本体
３２・・終端抵抗
３４、３５・・配線プラグ
【図１】
2010218825.tif 000003
【図２】
2010218825.tif 000004
【図３】
2010218825.tif 000005
【図４】
2010218825.tif 000006
【図５】
2010218825.tif 000007
【図６】
2010218825.tif 000008